(57)【要約】【課題】美観を維持しつつ、蓋体を筐体に容易に取り付けることが可能な炊飯器を提供する。【解決手段】ガス炊飯器は、筐体、蓋体５０、ヒンジ部７０を備える。ヒンジ部７０は、軸体７３、軸体７３に回転可能に支持され、蓋体５０に固定される第１板部７１、軸体７３に回転可能に支持され、筐体に固定される第２板部７２、軸体７３に巻回されたねじりコイルバネ７４を備える。ねじりコイルバネ７４は、蓋体が開放する向きに付勢する。蓋体５０は、軸体７３の両端部を、軸方向の両側から覆う蓋体覆部５６、蓋体覆部５６の内側で軸体７３の両端部を回転可能に支持する軸支持部５７、第１板部７１を固定する第１固定部５５を備える。筐体は、受け部、第２板部７２を固定する第２固定部を備える。受け部は、前側に向けて凹む第１凹部を少なくとも有する。【選択図】図５
2020062241.tif 000002
【特許請求の範囲】
【請求項１】
内釜が収容される収容部を有する筐体と、
前記筐体の前記収容部を開閉可能な蓋体と、
前記筐体に対して前記蓋体を開閉可能に支持するヒンジ部と
を備えた炊飯器であって、
前記ヒンジ部は、
軸体と、
前記軸体に回転可能に支持され、前記蓋体に固定される第１板部と、
前記軸体に回転可能に支持され、前記筐体に固定される第２板部と、
前記軸体に巻回されたねじりコイルバネであって、一端部が、前記第１板部のうち前記蓋体に対向する面と反対の面側に係止され、他端部が、前記第２板部のうち前記筐体に対向する面と反対の面側に係止された前記ねじりコイルバネと
を備え、
前記蓋体は、
前記軸体の両端部を、軸方向の両側から覆う蓋体覆部と、
前記蓋体覆部の内側で前記軸体の両端部を回転可能に支持する軸支持部と、
前記第１板部を固定する第１固定部と
を備え、
前記筐体は、
前記軸方向と直交して水平に延びる直交方向の一方側に設けられ、前記軸体を受ける受け部と、
前記第２板部を固定する第２固定部と
を備え、
前記受け部は、
前記直交方向の他方側に向けて凹む第１凹部を少なくとも有することを特徴とする炊飯器。
【請求項２】
前記第１板部は、
前記蓋体から突出する向きに延び、先端に第１鉤状部を有する第１係止部と、
前記第１鉤状部と対向する位置に形成された第１貫通穴と
を備え、
前記第１固定部は、
前記第１貫通穴に挿通する第１突出部を有し、
前記第１係止部に係止された前記ねじりコイルバネの一端部は、前記第１鉤状部と前記第１突出部との間に挟持されることを特徴とする請求項１に記載の炊飯器。
【請求項３】
前記第２板部は、
前記筐体から突出する向きに延び、先端に第２鉤状部を有する第２係止部と、
前記第２鉤状部と対向する位置に形成された第２貫通穴と
を備え、
前記第２固定部は、
前記第２貫通穴に挿通する第２突出部を有し、
前記第２係止部に係止された前記ねじりコイルバネの他端部は、前記第２鉤状部と前記第２突出部との間に挟持されることを特徴とする請求項１又は２に記載の炊飯器。
【請求項４】
第１歯を有する第１ギアを備えたロータリーダンパーが前記第１板部に設けられ、
前記筐体は、前記第１歯に噛合する第２歯を有する第２ギアを備え、
前記第１歯及び前記第２歯は、前記筐体に前記蓋体を取り付ける過程で互いに噛み合うことを特徴とする請求項１から３の何れかに記載の炊飯器。
【請求項５】
前記第２ギアが前記受け部に一体成型されたことを特徴とする請求項４に記載の炊飯器。
【請求項６】
前記第２歯に沿って延びる円弧の中心が、前記軸体の中心を通ることを特徴とする請求項４又は５に記載の炊飯器。
【請求項７】
前記受け部は、
前記第１凹部と、
前記第１凹部の底部に設けられ、下側に凹んだ第２凹部と
を備えたことを特徴とする請求項１から６の何れかに記載の炊飯器。
【請求項８】
前記筐体に設けられ、前記軸体を半径方向から覆う筐体覆部を更に備えたことを特徴とする請求項１から７の何れかに記載の炊飯器。
【発明の詳細な説明】
【技術分野】
【０００１】
本発明は炊飯器に関する。
【背景技術】
【０００２】
炊飯器において、筐体に蓋体を回転可能に支持するための構成が提案されている。例えば特許文献１に記載の炊飯器は、支軸を中心として外蓋が本体ケースに回転可能に支持されている。支軸は、軸受用側板を介して本体ケースに固定される。制動用回転体は、支軸に回転可能に支持され、外蓋に連結する。制動用回転体が支軸を中心として回転することにより、制動用回転体に連結する外蓋も支軸を中心として回転する。又、本体ケース及び外蓋には、支軸に巻回されたキックバネの両端部がそれぞれ接続される。キックバネは、外蓋が閉状態から開状態に向かう方向の付勢力を外蓋に付与する。外蓋が閉状態のときに操作ボタンが押し込まれ、ロック機構が解除された場合、外蓋はキックバネの付勢力に応じて回転し、閉状態から開状態に切り替わる。
【先行技術文献】
【特許文献】
【０００３】
【特許文献１】特開２０００−２３８３５号公報
【発明の概要】
【発明が解決しようとする課題】
【０００４】
炊飯器において筐体に蓋体を取り付ける方法の一例として、筐体に蓋体を組み付けた状態で、筐体及び蓋体のそれぞれに設けられた貫通穴に支軸を通し、それぞれを回転可能に連結する方法がある。この方法の場合、支軸の軸線方向の両側が露出することを回避するため、支軸を覆うカバーにより蓋体の貫通穴を覆う必要がある。この場合、蓋体とカバーとの継ぎ目が形成されるので、炊飯器の美観の観点で好ましくない。
【０００５】
本発明の目的は、美観を維持しつつ、蓋体を筐体に容易に取り付けることが可能な炊飯器を提供することである。
【０００６】
請求項１に係る炊飯器は、内釜が収容される収容部を有する筐体と、前記筐体の前記収容部を開閉可能な蓋体と、前記筐体に対して前記蓋体を開閉可能に支持するヒンジ部とを備えた炊飯器であって、前記ヒンジ部は、軸体と、前記軸体に回転可能に支持され、前記蓋体に固定される第１板部と、前記軸体に回転可能に支持され、前記筐体に固定される第２板部と、前記軸体に巻回されたねじりコイルバネであって、一端部が、前記第１板部のうち前記蓋体に対向する面と反対の面側に係止され、他端部が、前記第２板部のうち前記筐体に対向する面と反対の面側に係止された前記ねじりコイルバネとを備え、前記蓋体は、前記軸体の両端部を、軸方向の両側から覆う蓋体覆部と、前記蓋体覆部の内側で前記軸体の両端部を回転可能に支持する軸支持部と、前記第１板部を固定する第１固定部とを備え、前記筐体は、前記軸方向と直交して水平に延びる直交方向の一方側に設けられ、前記軸体を受ける受け部と、前記第２板部を固定する第２固定部とを備え、前記受け部は、前記直交方向の他方側に向けて凹む第１凹部を少なくとも有することを特徴とする。
【０００７】
請求項２に係る炊飯器は、請求項１に記載の発明の構成に加え、前記第１板部は、前記蓋体から突出する向きに延び、先端に第１鉤状部を有する第１係止部と、前記第１鉤状部と対向する位置に形成された第１貫通穴とを備え、前記第１固定部は、前記第１貫通穴に挿通する第１突出部を有し、前記第１係止部に係止された前記ねじりコイルバネの一端部は、前記第１鉤状部と前記第１突出部との間に挟持されるとよい。
【０００８】
請求項３に係る炊飯器は、請求項１又は２に記載の発明の構成に加え、前記第２板部は、前記筐体から突出する向きに延び、先端に第２鉤状部を有する第２係止部と、前記第２鉤状部と対向する位置に形成された第２貫通穴とを備え、前記第２固定部は、前記第２貫通穴に挿通する第２突出部を有し、前記第２係止部に係止された前記ねじりコイルバネの他端部は、前記第２鉤状部と前記第２突出部との間に挟持されるとよい。
【０００９】
請求項４に係る炊飯器は、請求項１から３の何れかに記載の発明の構成に加え、第１歯を有する第１ギアを備えたロータリーダンパーが前記第１板部に設けられ、前記筐体は、前記第１歯に噛合する第２歯を有する第２ギアを備え、前記第１歯及び前記第２歯は、前記筐体に前記蓋体を取り付ける過程で互いに噛み合うとよい。
【００１０】
請求項５に係る炊飯器は、請求項４に記載の発明の構成に加え、前記第２ギアが前記受け部に一体成型されるとよい。
【００１１】
請求項６に係る炊飯器は、請求項４又は５に記載の発明の構成に加え、前記第２歯に沿って延びる円弧の中心が、前記軸体の中心を通るとよい。
【００１２】
請求項７に係る炊飯器は、請求項１から６の何れかに記載の発明の構成に加え、前記受け部は、前記第１凹部と、前記第１凹部の底部に設けられ、下側に凹んだ第２凹部とを備えるとよい。
【００１３】
請求項８に係る炊飯器は、請求項１から７の何れかに記載の発明の構成に加え、前記筐体に設けられ、前記軸体を半径方向から覆う筐体覆部を更に備えるとよい。
【発明の効果】
【００１４】
請求項１に係る炊飯器によれば、軸体を中心として蓋体を回転させることにより、筐体の収容部を蓋体により開閉できる。炊飯器は、蓋体にヒンジ部が固定された状態で、ヒンジ部の軸体を受け部の第１凹部に挿入することにより、筐体に蓋体を取り付けることができる。このため、軸体の両端部が蓋体覆部により予め覆われた状態とすることができるので、炊飯器は、美観を維持しつつ蓋体を筐体に取り付けることが可能となる。
【００１５】
請求項２に係る炊飯器によれば、請求項１に記載の発明の効果に加え、ねじりコイルバネの一端部が第１板部から脱離することを、第１鉤状部と第１突出部により一端部を挟持することで抑制できる。
【００１６】
請求項３に係る炊飯器によれば、請求項１又は２に記載の発明の効果に加え、炊飯器は、第２板部の第２係止部に係止されたねじりコイルバネの他端部が、第２板部から脱離することを、第２鉤状部と第２突出部により他端部を挟持することで抑制できる。
【００１７】
請求項４に係る炊飯器によれば、請求項１から３の何れかに記載の発明の効果に加え、ねじりコイルバネの付勢力により蓋体が開放する時の衝撃を、ロータリーダンパーにより軽減できる。
【００１８】
請求項５に係る炊飯器によれば、請求項４に記載の発明の効果に加え、筐体に第２ギアが設けられた構成を容易に実現できる。又、第２ギアの強度を維持できる。
【００１９】
請求項６に係る炊飯器によれば、請求項４又は５に記載の発明の効果に加え、炊飯器は、蓋体が開閉する場合の移動範囲の全域に亘って、第１ギアの第１歯を第２ギアの第２歯に噛合させることができる。従って、炊飯器は、蓋体が開放する時の衝撃を、蓋体の移動範囲の全域に亘って軽減できる。
【００２０】
請求項７に係る炊飯器によれば、請求項１から６の何れかに記載の発明の効果に加え、蓋体は、軸体を、第１凹部に沿って直交方向の他方側に移動させ、次いで、第２凹部に沿って下側に移動させることにより、筐体に取り付けられる。この場合、受け部から蓋体が脱離する可能性を軽減できる。
【００２１】
請求項８に係る発明の炊飯器によれば、請求項１から７の何れかに記載の発明の効果に加え、炊飯器は、蓋体覆部によって軸体を軸線方向から覆うと同時に、筐体覆部によって軸体を半径方向から覆うことができる。従って、炊飯器の美観を更に良好に維持できる。
【００２２】
上述した請求項１から８の発明は、任意に組み合わせることができる。例えば請求項１の全部または一部を備えずに他の請求項２から８の少なくともいずれか１つの構成を備えたものとしても良い。但し特に、請求項１の構成を備えて、請求項２から８の少なくともいずれか１つの構成と組み合わせを備えると良い。また請求項１から８の任意の構成要素を抽出し、組み合わせても良い。本願出願人はこれらのような構成についても特許権を取得する意思を有する。
【図面の簡単な説明】
【００２３】
【図１】蓋体５０が閉塞位置にあるガス炊飯器１の斜視図である。
【図２】蓋体５０が開放位置にあるガス炊飯器１の斜視図である。
【図３】ガス炊飯器１の背面図である。
【図４】筐体２０の斜視図である。
【図５】蓋体５０及びヒンジ部７０の斜視図である。
【図６】ヒンジ部７０の斜視図である。
【図７】上面部５０Ｓ及びカバー２２Ｃを取り外したガス炊飯器１の斜視図である。
【図８】図３のＩ−Ｉ線を矢印方向から視た断面図である。
【発明を実施するための形態】
【００２４】
以下、本発明の実施形態を説明する。以下に記載されている装置の構造、フローチャートなどは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２５】
＜ガス炊飯器１の概要＞
図１から図４に示すように、ガス炊飯器１は、筐体２０、蓋体５０、及びヒンジ部７０（図５参照）を備える。筐体２０は、内部に内釜２Ｋ（図２参照）を収容する。蓋体５０は、筐体２０の上端部の開口を開閉可能である。内釜２Ｋは、蓋体５０を開放することによりガス炊飯器１から取り出し可能となる。ヒンジ部７０は、筐体２０に対して蓋体５０を開閉可能に支持する。
【００２６】
＜筐体２０＞
筐体２０は略円筒状を有し、上下方向に延びる。筐体２０の上端部及は開口し、下端部は閉口する。筐体２０は、前突出部２１、後突出部２２、右湾曲部２３Ｒ、左湾曲部２３Ｌ（図２、図３参照）、底面２４、及び、ヒンジ保持部２Ｈ（図４参照）を有する。右湾曲部２３Ｒは、右方に凸状に湾曲する円弧に沿って延びる。図２、図３に示すように、左湾曲部２３Ｌは、左方に凸状に湾曲する円弧に沿って延びる。右湾曲部２３Ｒ及び左湾曲部２３Ｌを総称して、湾曲部２３という。底面２４は、前突出部２１、後突出部２２、及び湾曲部２３のそれぞれの下端部に接続する。
【００２７】
湾曲部２３の上端部近傍に、ハンドル１１が設けられる。ハンドル１１は棒状を有し、略Ｕ字状に湾曲する。ハンドル１１の両端部は、湾曲部２３に回転可能に支持される。図４に示すように、前突出部２１、後突出部２２、及び湾曲部２３で囲まれた部分を、収容部２０Ｋという。図２に示すように、収容部２０Ｋに内釜２Ｋが収納される。収容部２０Ｋのうち内釜２Ｋよりも下方に、非図示のバーナが保持される。右湾曲部２３Ｒの下端部に、ガスホースが接続されるガス接続口１２が設けられる。
【００２８】
前突出部２１は、湾曲部２３の前端部から前方に突出する。前突出部２１のうち右湾曲部２３Ｒの前端部から前方に延びる部分を、右壁２１Ｒという。前突出部２１のうち左湾曲部２３Ｌの前端部から前方に延びる部分を、左壁２１Ｌという。前突出部２１のうち右壁２１Ｒ及び左壁２１Ｌのそれぞれの前端部の間に亘って延びる部分を、前壁２１Ｆという。前壁２１Ｆの下端部に、情報が表示される表示ユニット６が設けられる。前突出部２１のうち右壁２１Ｒ及び左壁２１Ｌのそれぞれの上端部の間に亘って延びる部分を、上壁２１Ｓ（図２、図４参照）という。図２に示すように、上壁２１Ｓの左右方向中央に、蓋体５０を閉じた状態で維持するロック機構２１０が設けられる。
【００２９】
後突出部２２は、湾曲部２３の後端部から後方に突出する。図３、図４に示すように、後突出部２２のうち右湾曲部２３Ｒの後端部から後方に延びる部分を、右壁２２Ｒという。後突出部２２のうち左湾曲部２３Ｌの後端部から後方に延びる部分を、左壁２２Ｌという。後突出部２２のうち右壁２２Ｒ及び左壁２２Ｌのそれぞれの後端部の間に亘って延びる部分を、後壁２２Ｂという。後突出部２２のうち右壁２２Ｒ及び左壁２２Ｌのそれぞれの上端部の間に亘って延びる部分を、上壁２２Ｓ（図４参照）という。
【００３０】
図４に示すように、後壁２２Ｂの上端部に、前方に向けて凹んだ凹部２２０が設けられる。凹部２２０は、図３に示すカバー２２Ｃにより後方から覆われる。図４に示すように、凹部２２０の底面２２Ｄは、前後方向と直交する。カバー２２Ｃは、筐体２０に対して着脱可能である。図３に示すように、カバー２２Ｃには、後方に突出するハンドル台１１Ｔが設けられる。ハンドル台１１Ｔは、回転可能なハンドル１１を下方から受ける。
【００３１】
図４に示すように、ヒンジ保持部２Ｈは、後述するヒンジ部７０（図５、図６参照）を筐体２０側で保持するための部位である。ヒンジ保持部２Ｈは、第２固定部２５、受け部２６Ｒ、２６Ｌ（総称して、受け部２６という。）、及び筐体覆部２７を有する。第２固定部２５は、凹部２２０の底面２２Ｄに設けられる。受け部２６及び筐体覆部２７は、上壁２２Ｓに設けられる。
【００３２】
第２固定部２５は、筐体２０の後端部に設けられ、後述するヒンジ部７０の第２板部７２（図５、図６参照）を固定する。第２固定部２５は、第２突出部２５Ｒ、２５Ｌを有する。第２突出部２５Ｒ、２５Ｌは、それぞれ、屈曲した板状を有し、凹部２２０の底面２２Ｄから後方に突出する。第２突出部２５Ｒ、２５Ｌは、左右方向に離隔して配列される。第２突出部２５Ｒは、第２突出部２５Ｌに対して右側に配置される。第２突出部２５Ｒ、２５Ｌの形状は、左右対称である。第２突出部２５Ｌは、上下方向に並び且つ左右方向に延びる延設部２５１、２５２と、２つの延設部の右端部に間に亘って延びる１つの延設部２５３とを有する。第２突出部２５Ｒのうち第２突出部２５Ｌの延設部２５１、２５２、２５３に対応する各構成については、第２突出部２５Ｌと同一の符号（延設部２５１、２５２、２５３）を付す。第２突出部２５Ｒ、２５Ｌを総称して、第２突出部２５Ａという。
【００３３】
受け部２６は、筐体２０の後端部に設けられ、後述するヒンジ部７０の軸体７３を受ける。受け部２６Ｒは、後突出部２２の上壁２２Ｓのうち、凹部２２０よりも右側に設けられる。受け部２６Ｌは、後突出部２２の上壁２２Ｓのうち、凹部２２０よりも左側に設けられる。受け部２６Ｒ、２６Ｌの形状は、左右対称である。受け部２６Ｌは、突出部２６１、延伸部２６２、及び、第２ギア２６６を有する。突出部２６１は上壁２２Ｓから上方に突出する。延伸部２６２は、突出部２６１の後端部から後方に向けて延びる。延伸部２６２は板状を有し、左右方向と直交する。延伸部２６２には、第１凹部２６４及び第２凹部２６５が形成される。第１凹部２６４は、延伸部２６２の後端部に設けられ、前方に凹む。第２凹部２６５は、第１凹部２６４の底部に設けられ、下方に凹む。
【００３４】
第２ギア２６６は、平歯車の一部であり、受け部２６Ｌに一体成型される。第２ギア２６６は、延伸部２６２の左面のうち第１凹部２６４よりも上側の部位に設けられる。第２ギア２６６は第２歯２６Ａを有する。第２歯２６Ａは、上方に向けて凸状に湾曲する円弧に沿って配置される。第２歯２６Ａに沿って延びる円弧の中心を、中心Ｃ２という。中心Ｃ２は、第２凹部２６５内に配置される。
【００３５】
受け部２６Ｒのうち、受け部２６Ｌの突出部２６１、延伸部２６２、第１凹部２６４、第２凹部２６５、第２ギア２６６に対応する各構成については、受け部２６Ｌと同一の符号（突出部２６１、延伸部２６２、第１凹部２６４、第２凹部２６５、第２ギア２６６、第２歯２６Ａ）を付す。
【００３６】
筐体覆部２７は、筐体２０の後端部に設けられ、後述するヒンジ部７０の軸体７３を覆う。筐体覆部２７は、湾曲した板状を有し、受け部２６Ｒ、２６Ｌのそれぞれの突出部２６１の間に亘って設けられる。筐体覆部２７は、前方に向けて凸状に湾曲する円弧に沿って配置される。筐体覆部２７に沿って延びる円弧の中心は、第２歯２６Ａに沿って延びる円弧の中心Ｃ２と略一致する。
【００３７】
＜蓋体５０＞
図１、図２に示すように、蓋体５０は略円柱状を有する。蓋体５０は、筐体２０の収容部２０Ｋを開閉可能である。蓋体５０は、図１に示す閉塞位置と、図２に示す開放位置とに移動可能である。図１に示すように、閉塞位置に配置された蓋体５０は、筐体２０の収容部２０Ｋを閉塞する。図２に示すように、開放位置に配置された蓋体５０は、筐体２０の収容部２０Ｋを開放する。以下、蓋体５０が閉塞位置（図１参照）に配置された状態を前提とし、ガス炊飯器１の方向を蓋体５０にも適用する。
【００３８】
蓋体５０は、基部５０Ｇ（図２参照）、右側面部５０Ｒ、左側面部５０Ｌ、上面部５０Ｓ、及びヒンジ保持部５Ｈ（図５参照）を有する。図５に示すように、基部５０Ｇは円形板状を有する。右側面部５０Ｒ及び左側面部５０Ｌは、それぞれ、前後方向に長い略長方形の板状を有する。右側面部５０Ｒの前後両端部を除く部分は、基部５０Ｇの右側面に沿って延びる。左側面部５０Ｌの前後両端部を除く部分は、基部５０Ｇの左側面に沿って延びる。右側面部５０Ｒ及び左側面部５０Ｌのそれぞれの前端部は、基部５０Ｇから前方に突出する。右側面部５０Ｒ及び左側面部５０Ｌのそれぞれの後端部は、基部５０Ｇから後方に突出する。図１に示すように、上面部５０Ｓは、右側面部５０Ｒ及び左側面部５０Ｌのそれぞれの上端部、前端部、及び、後端部の間に架け渡される。上面部５０Ｓは、上方、前方、及び後方から基部５０Ｇを覆う。
【００３９】
図１、図２に示すように、右側面部５０Ｒ、左側面部５０Ｌ、及び上面部５０Ｓのそれぞれの前端部は、基部５０Ｇに対して前方に突出した前突出部５１を形成する。前突出部５１の前端部に、蓋体５０を閉塞位置で維持するためのロック機構５１０が設けられる。ロック機構５１０は、筐体２０のロック機構２１０（図２参照）に係合した状態で、蓋体５０が閉塞位置から開放位置に向けて移動することを抑制する。右側面部５０Ｒ、左側面部５０Ｌ、及び上面部５０Ｓのそれぞれの後端部は、基部５０Ｇに対して後方に突出した後突出部５２を形成する。
【００４０】
後突出部５２の内部、及び、基部５０Ｇの後端部に、ヒンジ保持部５Ｈ（図５参照）が配置される。ヒンジ保持部５Ｈは、後述するヒンジ部７０（図５参照）を蓋体５０側で保持するための部位である。図５に示すように、ヒンジ保持部５Ｈは、第１固定部５５、蓋体覆部５６Ｒ、５６Ｌ（総称して、蓋体覆部５６という。）、軸支持部５７Ｒ、５７Ｌ（総称して、軸支持部５７という。）を有する。第１固定部５５は、基部５０Ｇの上面の一部に設けられる。蓋体覆部５６は、右側面部５０Ｒ及び左側面部５０Ｌに設けられる。軸支持部５７は、蓋体覆部５６に設けられる。
【００４１】
第１固定部５５は、基部５０Ｇの上面のうち後端部近傍に設けられ、後述するヒンジ部７０の第１板部７１を固定する。第１固定部５５は、第１突出部５５Ｒ、５５Ｌを有する。第１突出部５５Ｒ、５５Ｌは、それぞれ、屈曲した板状を有し、基部５０Ｇの上面から上方に突出する。第１突出部５５Ｒ、５５Ｌは、左右方向に離隔して配列される。第１突出部５５Ｒは、第１突出部５５Ｌに対して右側に配置される。第１突出部５５Ｒ、５５Ｌの形状は、左右対称である。第１突出部５５Ｌは、前後方向に並び且つ左右方向に延びる延設部５５１、５５２と、２つの延設部の左端部に間に亘って延びる１つの延設部５５３とを有する。第１突出部５５Ｒのうち第１突出部５５Ｌの延設部５５１、５５２、５５３に対応する各構成については、第１突出部５５Ｌと同一の符号（延設部５５１、５５２、５５３）を付す。第１突出部５５Ｒ，５５Ｌを総称して、第１突出部５５Ａという。
【００４２】
蓋体覆部５６は、後突出部５２を形成する右側面部５０Ｒ及び左側面部５０Ｌのそれぞれの後端部に対応し、後述するヒンジ部７０の軸体７３を左右両側から覆う。右側面部５０Ｒの後端部は、蓋体覆部５６Ｒに対応する。左側面部５０Ｌの後端部は、蓋体覆部５６Ｌに対応する。蓋体覆部５６Ｒ、５６Ｌは、左右方向と略直交し、基部５０Ｇに対して後方に突出する。
【００４３】
軸支持部５７は、蓋体覆部５６の内側に設けられ、後述するヒンジ部７０の軸体７３を支持する。軸支持部５７Ｒは、蓋体覆部５６Ｒの左面に設けられ、右方に凹んだ凹部を有する。軸支持部５７Ｌは、蓋体覆部５６Ｌの右面に設けられ、左方に凹んだ凹部を有する。
【００４４】
＜ヒンジ部７０＞
図５に示すように、ヒンジ部７０は、筐体２０（図１、図２参照）に対して蓋体５０を開閉可能に支持する。図６に示すように、ヒンジ部７０は、第１板部７１、第２板部７２、軸体７３、及びねじりコイルバネ７４Ｒ、７４Ｌ（総称して、ねじりコイルバネ７４という。）を有する。軸体７３は円柱状を有し、左右方向に延びる。第１板部７１及び第２板部７２は、軸体７３に回転可能に支持される。ねじりコイルバネ７４は、軸体７３に巻回される。
【００４５】
第１板部７１は、屈曲した板状を有し、蓋体５０の第１固定部５５に固定される。第１板部７１は、それぞれが板状の第１部７１１Ｒ、７１１Ｌ、第２部７１２Ｒ、７１２Ｌ、及び架設部７１０を有する。第１部７１１Ｒ、７１１Ｌは、上下方向と直交する。第１部７１１Ｒ、７１１Ｌは、左右方向に離隔して配列する。第１部７１１Ｒは、第１部７１１Ｌに対して右側に配置される。第１部７１１Ｒ、７１１Ｌの形状は、左右対称である。第１部７１１Ｒ、７１１Ｌ間に、架設部７１０が架設される。架設部７１０は左右方向に延びる。
【００４６】
第１部７１１Ｒのうち架設部７１０との連結部分の右側に、第１貫通穴７６２Ｒが形成される。第１貫通穴７６２Ｒの形状は正方形である。第１係止部７６１Ｒは、屈曲した板からなる鉤状を有する。第１係止部７６１Ｒは、第１貫通穴７６２Ｒの４辺のうち右端部の辺から上方に延び、左方に屈曲して更に延びる。以下、第１係止部７６１Ｒのうち、屈曲部よりも先端側の部分を、第１先端鉤状部７６Ａという。第１先端鉤状部７６Ａは、第１貫通穴７６２Ｒと上下方向に対向する。第１係止部７６１Ｒのうち、屈曲部よりも基端側の部分を、第１基端鉤状部７６Ｂという。
【００４７】
第１部７１１Ｌの第１係止部７６１Ｌ、第１貫通穴７６２Ｌは、それぞれ、第１部７１１Ｒの第１係止部７６１Ｒ、第１貫通穴７６２Ｒに対応する。第１係止部７６１Ｒ、７６１Ｌを総称して、第１係止部７６１という。第１貫通穴７６２Ｒ、７６２Ｌを総称して、第１貫通穴７６２という。第１係止部７６１Ｌのうち、第１係止部７６１Ｒの第１先端鉤状部７６Ａ及び第１基端鉤状部７６Ｂに対応する各構成については、第１係止部７６１Ｒと同一の符号（第１先端鉤状部７６Ａ、第１基端鉤状部７６Ｂ）を付す。
【００４８】
第２部７１２Ｒは、第１部７１１Ｒの後端部から下方に延びる。第２部７１２Ｌは、第１部７１１Ｌの後端部から下方に延びる。第２部７１２Ｒ、７１２Ｌは、左右方向と直交する。第２部７１２Ｒ、７１２Ｌのそれぞれの後端部に設けられた貫通穴に、軸体７３が挿通する。第２部７１２Ｒ、７１２Ｌは、軸体７３に対して回転可能である。このため、第１板部７１は軸体７３に対して回転可能に支持される。軸体７３の右端部は、第２部７１２Ｒよりも右方に突出する。軸体７３の左端部は、第２部７１２Ｌよりも左方に突出する。
【００４９】
第２部７１２Ｒの左面にロータリーダンパー７８Ｒが設けられる。ロータリーダンパー７８Ｒは第１ギア７８１を有する。第１ギア７８１は平歯車であり、左右方向に延びる軸を中心として回転可能である。第１ギア７８１の回転軸には、非図示のブレーキが設けられる。第１ギア７８１の回転は、ブレーキにより抑制される。第１ギア７８１は第１歯７８Ａを有する。第２部７１２Ｌの右面に、ロータリーダンパー７８Ｌが設けられる。ロータリーダンパー７８Ｌは、ロータリーダンパー７８Ｒと同一構成を有する。ロータリーダンパー７８Ｌのうち、ロータリーダンパー７８Ｒの第１ギア７８１及び第１歯７８Ａに対応する各構成については、ロータリーダンパー７８Ｒと同一の符号（第１ギア７８１、第１歯７８Ａ）を付す。ロータリーダンパー７８Ｒ、７８Ｌを総称して、ロータリーダンパー７８という。
【００５０】
第２板部７２は、筐体２０の第２固定部２５（図４参照）に固定される。第２板部７２は板状を有し、前後方向と直交する。第２板部７２は、左右方向中心を上下方向に延びる対称軸を中心として左右対称の形状を有する。第２板部７２の左上端部及び右上端部のそれぞれに設けられた貫通穴に、軸体７３が挿通する。第２板部７２は、軸体７３に対して回転に支持される。
【００５１】
第２板部７２のうち左右方向中央よりも右側に、第２係止部７７１Ｒ及び第２貫通穴７７２Ｒが形成される。第２貫通穴７７２Ｒの形状は正方形である。第２係止部７７１Ｒは、屈曲した板からなる鉤状を有する。第２係止部７７１Ｒは、第２貫通穴７７２Ｒの４辺のうち左端部の辺から上方に延び、右方に鉤状に屈曲して更に延びる。以下、第２係止部７７１Ｒのうち、屈曲部よりも先端側の部分を、第２先端鉤状部７７Ａという。第２先端鉤状部７７Ａは、第２貫通穴７７２Ｒと前後方向に対向する。第２係止部７７１Ｒのうち、屈曲部よりも基端側の部分を、第２基端鉤状部７７Ｂという。
【００５２】
第２板部７２のうち左右方向中央よりも左側に、第２係止部７７１Ｌ及び第２貫通穴７７２Ｌが形成される。第２係止部７７１Ｌ及び第２貫通穴７７２Ｌは、それぞれ、第２係止部７７１Ｒ及び第２貫通穴７７２Ｒに対応する。第２係止部７７１Ｒ、７７１Ｌを総称して、第２係止部７７１という。第２貫通穴７７２Ｒ、７７２Ｌを総称して、第２貫通穴７７２という。第２係止部７７１Ｌのうち、第２係止部７７１Ｒの第２先端鉤状部７７Ａ及び第２基端鉤状部７７Ｂに対応する各構成については、第２係止部７７１Ｒと同一の符号（第２先端鉤状部７７Ａ、第２基端鉤状部７７Ｂ）を付す。
【００５３】
ねじりコイルバネ７４Ｒは、軸体７３のうち第２板部７２の左右方向中央よりも右側、且つ、第２板部７２の右上端部よりも左側の部分に巻回される。ねじりコイルバネ７４Ｌは、軸体７３のうち第２板部７２の左右方向中央よりも左側、且つ、第２板部７２の左上端部よりも右側の部分に巻回される。ねじりコイルバネ７４Ｒの一端部７４１Ｒは、第１係止部７６１Ｒの第１先端鉤状部７６Ａに対して下側に配置される。ねじりコイルバネ７４Ｌの一端部７４１Ｌは、第１係止部７６１Ｌの第１先端鉤状部７６Ａに対して下側に配置される。これにより、ねじりコイルバネ７４Ｒ、７４Ｌのそれぞれの一端部７４１Ｒ、７４１Ｌは、第１係止部７６１Ｒ、７６１Ｌによって第１板部７１に係止される。一端部７４１Ｒ、７４１Ｌを総称して、一端部７４１という。
【００５４】
ねじりコイルバネ７４Ｒの他端部７４２Ｒは、第２係止部７７１Ｒの第２先端鉤状部７７Ａに対して前側に配置される。ねじりコイルバネ７４Ｌの他端部７４２Ｌは、第２係止部７７１Ｌの第２先端鉤状部７７Ａに対して前側に配置される。これにより、ねじりコイルバネ７４Ｒのそれぞれの他端部７４２Ｒ、７４２Ｌは、第２係止部７７１Ｒ、７７１Ｌによって第２板部７２に係止される。他端部７４２Ｒ、７４２Ｌを総称して、他端部７４２という。
【００５５】
ねじりコイルバネ７４の一端部７４１及び他端部７４２は、外力が作用していない状態で略同一平面上に沿って配置される。このため、一端部７４１が係止される第１板部７１、及び、他端部７４２が係止される第２板部７２についても、外力が作用していない状態で略同一平面上に配置される。一方、図５及び図６に示すように、例えば第１板部７１及び第２板部７２が軸体７３を中心として回動する向きに力が作用した場合、ねじりコイルバネ７４は、第１板部７１及び第２板部７２を元の位置に向けて付勢する。ねじりコイルバネ７４は、筐体２０に対して蓋体５０が閉塞位置から開放位置に向かう方向の付勢力を、蓋体５０に作用させる。
【００５６】
＜組み付け＞
筐体２０、蓋体５０、及びヒンジ部７０が組み付けられる場合の手順について説明する。はじめに、上面部５０Ｓが取り外された状態の蓋体５０に対して、ヒンジ部７０が取り付けられる。図５に示すように、蓋体５０にヒンジ部７０が取り付けられた状態で、ヒンジ部７０の第１板部７１は、蓋体５０の基部５０Ｇの後端部近傍に沿って配置される。第１板部７１の第１係止部７６１は、蓋体５０の基部５０Ｇの上面から突出する向きに延びる。ねじりコイルバネ７４の一端部７４１は、第１板部７１のうち蓋体５０の基部５０Ｇに対向する下面と反対の面である上面側において、第１係止部７６１により係止される。
【００５７】
蓋体５０の第１突出部５５Ａは、ヒンジ部７０の第１板部７１の第１貫通穴７６２（図６参照）に下側から挿通し、上側に突出する。ねじりコイルバネ７４の一端部７４１は、左右方向において、第１係止部７６１の第１基端鉤状部７６Ｂ（図６参照）と、第１突出部５５Ａの延設部５５３との間に挟持される。ねじりコイルバネ７４の一端部７４１の第１係止部７６１からの脱離は、第１突出部５５Ａにより抑制される。これにより第１板部７１は、第１固定部５５（第１突出部５５Ａ）によって蓋体５０に固定される。
【００５８】
蓋体５０の蓋体覆部５６は、ヒンジ部７０の軸体７３のうち第１板部７１の第２部７１２Ｒ、７１２Ｌ（図６参照）よりも外側に突出する部分、即ち、軸体７３の左右両端部に対して外側に配置される。蓋体覆部５６は、軸体７３の左右両端部を、左右両側から覆う。蓋体５０の蓋体覆部５６の内側に設けられた軸支持部５７に、ヒンジ部７０の軸体７３の左右両端部が嵌る。軸支持部５７は、蓋体覆部５６の内側で軸体７３を回転可能に支持する。
【００５９】
次に、蓋体５０に取り付けられたヒンジ部７０が、筐体２０に次の手順で取り付けられる。カバー２２Ｃが取り外された状態の筐体２０に対し、蓋体５０に取り付けられた状態のヒンジ部７０が後方から水平に近づけられる。ヒンジ部７０の軸体７３の左右両端部は、筐体２０の受け部２６の第１凹部２６４（図４参照）に進入し、第１凹部２６４に沿って前方に移動する。このとき、筐体２０の第２突出部２５Ａは、ヒンジ部７０の第２板部７２の第２貫通穴７７２に対して挿通しない。理由は、該移動時、第２突出部２５Ａは第２貫通穴７７２に対して僅かに下方にずれた位置に配置されるためである。
【００６０】
軸体７３の左右両端部が第１凹部２６４の底部に到達した後、ヒンジ部７０は下方に移動される。ヒンジ部７０の軸体７３は、第２凹部２６５（図４参照）に沿って下方に移動する。軸体７３の左右両端部が第２凹部２６５の底部に到達した状態で、受け部２６は軸体７３を下方から受ける。このとき、筐体２０の第２突出部２５Ａと、ヒンジ部７０の第２板部７２の第２貫通穴７７２との上下方向の位置が一致する。このため、第２突出部２５Ａは第２貫通穴７７２に対して前側から挿通し、後側に突出する。このため作業者は、ヒンジ部７０の軸体７３が第２凹部２６５に沿って下方に移動する過程で、第２突出部２５Ａが第２貫通穴７７２に挿通することを確認することによって、筐体２０に対してヒンジ部７０が誤った状態で装着される可能性を軽減できる。
【００６１】
図８に示すように、受け部２６（図４参照）によって受けられた状態の軸体７３の中心Ｃ１の位置と、受け部２６に設けられた第２ギア２６６の第２歯２６Ａ（図４参照）に沿って延びる円弧の中心Ｃ２の位置とは一致する。筐体２０の筐体覆部２７は、受け部２６によって受けられた状態の軸体７３の前方を覆う。軸体７３のうち筐体覆部２７によって覆われる方向は、軸体７３の半径方向のうち前側略半分の部分に対応する。
【００６２】
図７に示すように、ヒンジ部７０のロータリーダンパー７８の第１ギア７８１は、上記のように筐体２０に対してヒンジ部７０が移動する過程で、筐体２０の受け部２６に設けられた第２ギア２６６に後方から近接する。より詳細には、ヒンジ部７０の軸体７３が、筐体２０の受け部２６の第１凹部２６４に沿って前方に移動する過程では、第１ギア７８１の第１歯７８Ａ（図６参照）と、第２ギア２６６の第２歯２６Ａ（図４参照）とは僅かに離隔する。一方、ヒンジ部７０の軸体７３が第２凹部２６５に沿って下方に移動する過程で、第１ギア７８１の第１歯７８Ａ（図６参照）は、第２ギア２６６の第２歯２６Ａ（図４参照）に噛合する。なお、第１歯７８Ａと第２歯２６Ａとのそれぞれが誤った位置関係にある状態で、ヒンジ部７０の軸体７３が第２凹部２６５に沿って下方に移動した場合、第１歯７８Ａは第２歯２６Ａに噛合しない。このため作業者は、ヒンジ部７０の軸体７３が第２凹部２６５に沿って下方に移動する過程で、第１歯７８Ａが第２歯２６Ａに噛合することを確認することによって、筐体２０に対してヒンジ部７０が誤った状態で装着される可能性を軽減できる。  
【００６３】
筐体２０にヒンジ部７０が取り付けられた状態で、ヒンジ部７０の第２板部７２は、筐体２０の凹部２２０の底面２２Ｄ（図４参照）に沿って配置される。第２板部７２の第２係止部７７１は、筐体２０の底面２２Ｄから突出する向きに延びる。ねじりコイルバネ７４の他端部７４２は、第２板部７２のうち筐体２０の底面２２Ｄに対向する前面と反対の面である後面側において、第２係止部７７１により係止される。
【００６４】
筐体２０の第２突出部２５Ａは、ヒンジ部７０の第２板部７２の第２貫通穴７７２に前側から挿通し、後側に突出する。ねじりコイルバネ７４の他端部７４２は、左右方向において、第２係止部７７１の第２基端鉤状部７７Ｂと、第２突出部２５Ａの延設部２５３との間に挟持される。ねじりコイルバネ７４の他端部７４２の第２係止部７７１からの脱離は、第２突出部２５Ａにより抑制される。これにより第２板部７２は、第２固定部２５（第２突出部２５Ａ）によって筐体２０に固定される。
【００６５】
次に、蓋体５０に対して上面部５０Ｓ（図３参照）が取り付けられ、筐体２０に対してカバー２２Ｃ（図３参照）が取り付けられる。ヒンジ部７０は、上面部５０Ｓ及びカバー２２Ｃにより覆われる。以上により、筐体２０、蓋体５０、及びヒンジ部７０の組み付けは完了する。
【００６６】
＜本実施形態の作用、効果＞
ガス炊飯器１は、軸体７３を中心として蓋体５０を回転させることにより、筐体２０の収容部２０Ｋを蓋体５０により開閉できる。ガス炊飯器１は、蓋体５０にヒンジ部７０が固定された状態で、ヒンジ部７０の軸体７３を受け部２６の第１凹部２６４に挿入することにより、筐体２０に蓋体５０を取り付けることができる。このため、軸体７３の両端部が蓋体覆部５６により予め覆われた状態で筐体２０に蓋体５０を取り付けることができるので、軸体７３の両端部を覆う部材を後付けする必要がない。従って、ガス炊飯器１は、蓋体覆部５６を蓋体５０の右側面部５０Ｒ、左側面部５０Ｌと一体に形成させることができるので、美観を維持しつつ蓋体５０を筐体２０に取り付けることができる。
【００６７】
ねじりコイルバネ７４は、蓋体５０を、閉塞位置から開放位置に向けて付勢する。ユーザは、蓋体５０が閉塞位置に配置された状態でロック機構５１０を操作することにより、ねじりコイルバネ７４の付勢力を利用して蓋体５０を開放位置に切り替えることができる。ねじりコイルバネ７４の一端部７４１は、ヒンジ部７０の第１板部７１のうち蓋体５０の基部５０Ｇに対向する面と反対の面側に係止される。ねじりコイルバネ７４の他端部７４２は、ヒンジ部７０の第２板部７２のうち筐体２０の底面２２Ｄに対向する面と反対の面側に係止される。この場合、ガス炊飯器１の組み付け工程において、蓋体５０に対向する第１板部７１、及び、筐体２０に対向する第２板部７２のそれぞれにねじりコイルバネ７４を容易に係止できる。
【００６８】
ガス炊飯器１は、第１板部７１の第１係止部７６１に係止されたねじりコイルバネ７４の一端部７４１が、第１板部７１から脱離することを、第１基端鉤状部７６Ｂと第１突出部５５Ａにより一端部７４１を左右両側から挟持することで抑制できる。ガス炊飯器１は、第２板部７２の第２係止部７７１に係止されたねじりコイルバネ７４の他端部７４２が、第２板部７２から脱離することを、第２基端鉤状部７７Ｂと第２突出部２５Ａにより他端部７４２を左右両側から挟持することで抑制できる。
【００６９】
第１板部７１には、第１歯７８Ａを有する第１ギア７８１を備えたロータリーダンパー７８が設けられる。筐体２０は、第１歯７８Ａに噛合する第２歯２６Ａを有する第２ギア２６６を備える。この場合、ねじりコイルバネ７４の付勢力により蓋体５０が開放する時の衝撃を、ロータリーダンパー７８により軽減できる。又、第１歯７８Ａ及び第２歯２６Ａは、筐体２０に蓋体５０を取り付ける過程で互いに噛み合う。このため、ガス炊飯器１は、筐体２０に対する蓋体５０の取り付け作業を容易化できる。更に、第２ギア２６６は、筐体２０の受け部２６に一体成型される。この場合、筐体２０に第２ギア２６６が設けられた構成を容易に実現できる。又、第２ギア２６６の強度を維持できる。
【００７０】
受け部２６の第２歯２６Ａに沿って延びる円弧の中心Ｃ２の位置は、軸体７３の中心Ｃ１の位置と一致する。この場合、ガス炊飯器１は、蓋体５０が開閉する場合の移動範囲の全域に亘って、第１ギア７８１の第１歯７８Ａを第２ギア２６６の第２歯２６Ａに噛合させることができる。従って、ガス炊飯器１は、蓋体５０が開放する時の衝撃を、蓋体５０の移動範囲の全域に亘って、ロータリーダンパー７８により軽減できる。
【００７１】
蓋体５０は、軸体７３を第１凹部２６４に沿って前方に移動させ、次いで、第２凹部２６５に沿って下側に移動させることにより、筐体２０に取り付けられる。この場合、受け部２６から蓋体が脱離する可能性を軽減できる。ガス炊飯器１は、蓋体覆部５６によって軸体７３を左右両側から覆うと同時に、筐体覆部２７によって軸体７３を半径方向から覆うことができる。従って、ガス炊飯器１の美観を更に良好に維持できる。
【００７２】
＜変形例＞
本発明は上記実施形態に限定されず、種々の変更が可能である。本発明は、ガス炊飯器１以外の他の炊飯器（例えば、電気炊飯器）にも適用可能である。蓋体５０のうちヒンジ部７０の第１板部７１を固定する第１固定部５５は、第１突出部５５Ａと異なる構成を有していてもよい。例えば第１固定部５５は、第１板部７１に係合する鉤状の部位を有していてもよい。筐体２０のうちヒンジ部７０の第２板部７２を固定する第２固定部２５は、第２突出部２５Ａと異なる構成を有していてもよい。例えば第２固定部２５は、第２板部７２に係合する鉤状の部位を有していてもよい。
【００７３】
第１突出部５５Ａは、第１係止部７６１の第１先端鉤状部７６Ａの下側に配置されてもよい。ねじりコイルバネ７４の一端部７４１は、第１先端鉤状部７６Ａと第１突出部５５Ａによって上下方向の両側から挟持されてもよい。第２突出部２５Ａは、第２係止部７７１の第２先端鉤状部７７Ａの前側に配置されてもよい。ねじりコイルバネ７４の他端部７４２は、第２先端鉤状部７７Ａと第２突出部２５Ａによって前後方向の両側から挟持されてもよい。ロータリーダンパー７８は、蓋体５０に設けられていてもよい。第２歯２６Ａは、第２板部７２に設けられていてもよい。第２ギア２６６は、筐体２０の受け部２６に一体成型されていなくてもよい。例えば第２ギア２６６は、受け部２６に対して着脱可能でもよい。受け部２６の第２歯２６Ａに沿って延びる円弧の中心Ｃ２と、軸体７３の中心Ｃ１とは一致しなくてもよい。受け部２６は、第１凹部２６４のみ有してもよく、第２凹部２６５は有さなくてもよい。第１凹部２６４は、前斜め下方に湾曲しながら延びてもよい。第１凹部２６４に、軸体７３の脱離を防止する突起が設けられていてもよい。筐体覆部２７は、筐体２０の代わりに蓋体５０に設けられていてもよい。
【００７４】
＜その他＞
左右方向は、本発明の「軸方向」の一例である。前後方向は、本発明の「直交方向」の一例である。後側は、本発明の「直交方向の一方側」の一例である。前側は、本発明の「直交方向の他方側」の一例である。
【符号の説明】
【００７５】
１        ：ガス炊飯器
２Ｋ      ：内釜
１０      ：筐体
２０      ：筐体
２０Ｋ    ：収容部
２５      ：第２固定部
２５Ａ、２５Ｌ、２５Ｒ    ：第２突出部
２６、２６Ｌ、２６Ｒ    ：受け部
２６Ａ    ：第２歯
２７      ：筐体覆部
５０      ：蓋体
５５      ：第１固定部
５５Ａ、５５Ｌ、５５Ｒ    ：第１突出部
５６、５６Ｌ、５６Ｒ    ：蓋体覆部
５７、５７Ｌ、５７Ｒ    ：軸支持部
７０      ：ヒンジ部
７１      ：第１板部
７２      ：第２板部
７３      ：軸体
７４、７４Ｌ、７４Ｒ    ：ねじりコイルバネ
７６Ａ    ：第１先端鉤状部
７６Ｂ    ：第１基端鉤状部
７７Ａ    ：第２先端鉤状部
７７Ｂ    ：第２基端鉤状部
７８、７８Ｌ、７８Ｒ    ：ロータリーダンパー
７８Ａ    ：第１歯
２６４    ：第１凹部
２６５    ：第２凹部
２６６    ：第２ギア
７４１、７４１Ｌ、７４１Ｒ  ：一端部
７４２、７４２Ｌ、７４２Ｒ  ：他端部
７６１、７６１Ｌ、７６１Ｒ  ：第１係止部
７６２、７６２Ｌ、７６２Ｒ  ：第１貫通穴
７７１、７７１Ｌ、７７１Ｒ  ：第２係止部
７７２、７７２Ｌ、７７２Ｒ  ：第２貫通穴
７８１    ：第１ギア
Ｃ１、Ｃ２      ：中心
【図１】
2020062241.tif 000003
【図２】
2020062241.tif 000004
【図３】
2020062241.tif 000005
【図４】
2020062241.tif 000006
【図５】
2020062241.tif 000007
【図６】
2020062241.tif 000008
【図７】
2020062241.tif 000009
【図８】
2020062241.tif 000010